(57)【特許請求の範囲】
【請求項１】
結束バンドの挿入される溝部を挾む両側に、結束バンドを引締め方向に送る引締めローラとこの引締めローラに結束バンドを押し付ける押えローラとが振り分けて配備され、電動モータの回転軸と上記引締めローラとが歯車列を経て連動連結されていると共に、引締めローラの前位置で上記溝部を横切って往復動可能にカッタが配備され、
中間部に揺動支点を有する第１レバーの基端部に第１摺動体が設けられその先端部に上記押えローラが回転自在に支持され、この第１レバーの第１摺動体を押して第１レバーを揺動させることにより上記押えローラを結束バンド押付け位置に突出させる動作部と上記押えローラが結束バンド押付け位置から待機位置に後退することを許す非動作部とを有する第１回転カムが歯車列を形成している任意の中間歯車に同軸状に設けられ、
中間部に揺動支点を有する第２レバーの基端部に第２摺動体が設けられてその先端部に上記カッタが連結され、この第２レバーの第２摺動体を押して第２レバーを揺動させることにより上記カッタを結束バンドの切断位置まで往動させる動作部と上記カッタが待機位置に復動することを許す非動作部とを有する第２回転カムが歯車列を形成している任意の中間歯車に同軸状に設けられ、
上記押えローラを後退方向に常時付勢する第１ばね体と、上記カッタを復動方向に常時付勢する第２ばね体とを備えることを特徴とする可搬式電動結束バンド引締め装置。
【請求項２】
第１レバーおよび第２レバーの揺動支点の位置が、歯車列を形成している任意の中間歯車の支軸と同心位置になっている請求項１に記載の可搬式電動結束バンド引締め装置。
【請求項３】
第１回転カムと第２回転カムとが、共通の中間歯車に設けられている請求項１または請求項２に記載の可搬式電動結束バンド引締め装置。
【請求項４】
電動モータの運転中に、第１摺動体に対する第１回転カムの対応箇所が動作部から非動作部に移行する直前で、第２摺動体に対する第２回転カムの対応箇所が非動作部から動作部に移行するように構成されている請求項３に記載の可搬式電動結束バンド引締め装置。
【請求項５】
歯車列の任意の中間歯車に第３回転カムが設けられ、この第３回転カムによって電動モータのスイッチ回路が離接制御されるようになっている請求項１、請求項２、請求項３、請求項４のいずれかに記載の可搬式電動結束バンド引締め装置。
【請求項６】
第１回転カムおよび第２回転カムのそれぞれは周方向の一箇所にだけ動作部を有しており、第３回転カムにより電動モータのスイッチ回路が接続された後、離反するまでの間に、第１回転カムおよび第２回転カムが一回転するように構成されている請求項５に記載の可搬式電動結束バンド引締め装置。
【請求項７】
握持部とこの握持部から前方に延び出た胴部とこの胴部の先端部に設けられたヘッド部とを一体に備えるハウジングを有し、そのハウジングの握持部に電動モータが配備され、胴部に歯車列が配備され、ヘッド部に引締めローラと押えローラとが配備されていると共に、ヘッド部に溝部が設けられている請求項１に記載の可搬式電動結束バンド引締め装置。
【発明の詳細な説明】
【０００１】
【発明の属する技術分野】
本発明は、電線のような線材などを結束バンドで結束して束ねるときに用いられる電動結束バンド引締め装置のうち、特に可搬式の装置に関する。
【０００２】
【従来の技術】
従来、電線などの線材を束ねることに用いる電動結束バンド引締め装置として据置き式のものが知られていた。
【０００３】
【発明が解決しようとする課題】
据置き式の電動結束バンド引締め装置は当該装置の設置場所でしか結束作業を行うことができない。しかしながら、線材を束ねる作業を行う場所は、特定の決まった場所であるとは限らず、様々な作業現場において電線やその他の線材を結束バンドを用いて束ねる作業が行われる。また、据置き式の電動結束バンド引締め装置では線材を電動結束バンド引締め装置のところに持っていくという作業が必要になるが、電動結束バンド引締め装置を線材のところに持っていって結束することが便利な場合も少なくない。
【０００４】
本発明は以上の事情の下でなされたものであり、結束作業場所の制限を無くすると同時に引締め作業性を改善することのできる可搬式の電動結束バンド引締め装置を提供することを目的とする。
【０００５】
また、本発明は、可搬式のものにおいて、結束の開始工程から結束バンドの引締め、さらには結束バンドの余剰部分のカットに至る一連の工程でなる１サイクルを一回のスイッチング動作によって行うことのできる可搬式の電動結束バンド引締め装置を提供することを目的とする。
【０００６】
さらに、本発明は、形状に工夫を講じて持ち運びや取扱性の利便性を高め、しかも構成が簡単で小型かつ軽量でありながら、作動が確実に行われる可搬式の電動結束バンド引締め装置を提供することを目的とする。
【０００７】
【課題を解決するための手段】
本発明に係る可搬式電動結束バンド引締め装置は、結束バンドの挿入される溝部を挾む両側に、結束バンドを引締め方向に送る引締めローラとこの引締めローラに結束バンドを押し付ける押えローラとが振り分けて配備され、電動モータの回転軸と上記引締めローラとが歯車列を経て連動連結されていると共に、引締めローラの前位置で上記溝部を横切って往復動可能にカッタが配備され、中間部に揺動支点を有する第１レバーの基端部に第１摺動体が設けられその先端部に上記押えローラが回転自在に支持され、この第１レバーの第１摺動体を押して第１レバーを揺動させることにより上記押えローラを結束バンド押付け位置に突出させる動作部と上記押えローラが結束バンド押付け位置から待機位置に後退することを許す非動作部とを有する第１回転カムが歯車列を形成している任意の中間歯車に同軸状に設けられ、中間部に揺動支点を有する第２レバーの基端部に第２摺動体が設けられてその先端部に上記カッタが連結され、この第２レバーの第２摺動体を押して第２レバーを揺動させることにより上記カッタを結束バンドの切断位置まで往動させる動作部と上記カッタが待機位置に復動することを許す非動作部とを有する第２回転カムが歯車列を形成している任意の中間歯車に同軸状に設けられ、上記押えローラを後退方向に上記付勢する第１ばね体と、上記カッタを復動方向に常時付勢する第２ばね体とを備える、というものである。
【０００８】
この可搬式電動結束バンド引締め装置は、電動モータを動力源としているので、引締め作業を行うときには電動モータの駆動と停止を行うスイッチングだけを人力で行えばよく、引締め作業自体に人力を要しない。
【０００９】
上記構成の可搬式電動結束バンド引締め装置において、電動モータのスイッチ回路が接続されると、電動モータの回転が歯車列を経て引締めローラに伝達され、引締めローラが回転する。また、第１回転カムや第２回転カムも回転する。
【００１０】
第１回転カムが回転してその動作部が第１摺動体を押すことにより第１レバーを揺動させると、押えローラが結束バンド押付け位置に突出する。したがって、引締めローラと押えローラとの間の溝部に挿入されている結束バンドが引締めローラによって引締め方向に送られ、引締め作業が行われる。
【００１１】
また、第２回転カムが回転してその動作部が第２摺動体を押すことにより第２レバーを揺動させると、カッタが上記引締めローラの前位置で結束バンドの挿入されている溝部を横切って往動するので、結束バンドがカットされる。
【００１２】
そして、上記第１回転カムの非動作部が第１摺動体に対応した時点で押えローラが待機位置に後退し、また、上記第２回転カムの非動作部が第２摺動体の非動作部に対応した時点でカッタが待機位置に復動する。
【００１３】
上記構成では、第１回転カムおよび第２回転カムが、歯車列の任意の中間歯車に同軸状に設けられているので、第１回転カムや第２回転カムが中間歯車と重なり状に配備されることになってハウジングの内部空間が有効に利用され、それによって小型化が促進される。この小型化作用は、第１レバーおよび第２レバーの揺動支点の位置を、歯車列を形成している任意の中間歯車の支軸と同心位置にしたり、第１回転カムと第２回転カムとを、共通の中間歯車に設けたりすることによってさらに顕著に発揮される。
【００１４】
本発明において、電動モータの運転中に、第１摺動体に対する第１回転カムの対応箇所が動作部から非動作部に移行する直前で、第２摺動体に対する第２回転カムの対応箇所が非動作部から動作部に移行するように構成されていると、引締められた結束バンドに引締めローラによる送り力が加えられているときに結束バンドがカッタでカットされる。そのため、カットして切り離された余剰の結束バンドが引締めローラによって即座に排出される。
【００１５】
本発明においては、歯車列の任意の中間歯車に第３回転カムを設け、この第３回転カムによって電動モータのスイッチ回路を離接制御するように構成することができる。その場合に、第１回転カムおよび第２回転カムのそれぞれが周方向の一箇所にだけ動作部を有しており、第３回転カムにより電動モータのスイッチ回路が接続された後、離反するまでの間に、第１回転カムおよび第２回転カムが一回転するように構成されていると、結束の開始から結束バンドの引締め、結束バンドの余剰部分のカットに至る一連の工程でなる１サイクルを一回のスイッチング動作によって行うことができるようになる。
【００１６】
本発明において、握持部とこの握持部から前方に延び出た胴部とこの胴部の先端部に設けられたヘッド部とを一体に備えるハウジングを有し、そのハウジングの握持部に電動モータが配備され、胴部に歯車列が配備され、ヘッド部に引締めローラと押えローラとが配備されていると共に、ヘッド部に溝部が設けられているという構成を採用することが可能である。この構成を採用すると、電動モータ、歯車列、引締めローラ、押えローラなどの構成要素が短銃に似た形状のハウジングにうまく収容されるので、持ち運びや取扱性の利便性が高まり、しかも使い勝手が向上する。
【００１７】
【発明の実施の形態】
図１は本発明に係る可搬式電動結束バンド引締め装置の要部機構を概略で示した斜視図、図２〜図４は動作説明図、図５は間隔調節機構５７の作用説明図、図６は第２回転カムと第２レバーとを示す説明図、図７は可搬式電動結束バンド引締め装置の外観を示す側面図、図８は引締めローラ２と押えローラ２１の作用説明図、図９〜図１２は引締め作業の各工程の説明図である。
【００１８】
図１を参照して要部機構を説明する。この可搬式電動結束バンド引締め装置は、電動モータ１を動力源としており、電動モータ１のスイッチ回路（不図示）がリミットスイッチ１１の蹴片１２の揺動動作によって離接される。
【００１９】
電動モータ１の回転軸１３と引締めローラ２とが歯車列３を介して連動連結されている。歯車列３は、電動モータ１の回転軸１３に設けられた傘歯車３１およびそれに噛み合う傘歯車３２と、傘歯車３２と同軸に設けられた平歯車でなる中間歯車３３、その中間歯車３３と引締めローラ２と同軸に設けられた平歯車４０との間に配備されて相互に噛み合っている平歯車でなる複数の中間歯車３４〜３９とを有する。図例の歯車列３では、中間歯車３３〜３９や傘歯車３１，３２、さらには平歯車４０の歯数を相互に調節して電動モータ１の回転が引締めローラ２に適切に伝わるように工夫されている。
【００２０】
歯車列３を形成している中間歯車３３〜３９のうちの１つ、図例では中間歯車３６が固定されている回転軸４１に第１回転カム５１と第２回転カム５６とが固定されている。図５に明瞭に示したように、第１回転カム５は径大な動作部５ａと径小な非動作部５ｂとを有しており、また、図６に明瞭に示したように、第２回転カム６は突出状の動作部６ａと径小な非動作部６ｂとを有している。そして、図２〜図４で判るように、第２回転カム６の動作部６ａは、第１回転カム５の非動作部５ｂに対し、それらの回転方向において所定角度だけ前方に位置している。
【００２１】
図１および図５において、５１は第１レバーであり、この第１レバー５１の中央部（中間部）が中間歯車３８を回転自在に支持している支軸４２に揺動自在に支持されて、その支持箇所が第１レバー５１の揺動支点になっている。第１レバー５１の基端部に第１摺動体５２が設けられている。この第１摺動体５２は、第１レバー５１の基端部に形成されたねじ孔５３にねじ込まれたねじ軸、具体的には頭付きボルトでなり、その頭付きボルトの軸部先端に第１回転カム５の動作部５ａに対する摺動部５４が設けられていると共に、頭付きボルトの頭部５５と第１レバー５１の基端部との間に緩み止め部材５６が介在されている。緩み止め部材５６は弾性体で構成されている。この緩み止め部材５６は振動や衝撃で頭付きボルトでなる第１摺動体５２がねじ孔５３に対して回転することを阻止する機能を有している。また、第１レバー５１の先端部に押えローラ２１が回転自在に支持されて、その押えローラ２１が上記引締めローラ２に対向している。第１レバー５１の先端部と受け具５８との間に亘ってコイルばねでなる第１ばね体５９が設けられており、この第１ばね体５９によって第１レバー５１の先端部が引っ張られていることにより、上記押えローラ２１が常時後退方向に付勢されている。
【００２２】
そして、第１回転カム５の動作部５ａが第１摺動体５２を押すことにより、第１ばね体５９の付勢に抗して第１レバー５１を揺動させると、押えローラ２１が引締めローラ２に接近して結束バンド押付け位置に突出する。また、第１回転カム５の非動作部５ｂが第１摺動体５２に対応しているときには、第１ばね体５９の付勢により押えローラ２１が引締めローラ２から離れる方向に移動して待機位置に後退する。
【００２３】
上記第１摺動体５２を形成しているねじ軸（頭付きボルト）と上記ねじ孔５３とのねじ合わせ箇所によって間隔調節機構５７が形成されている。この間隔調節機構５７は引締めローラ２と待機位置の押えローラ２１との間隔Ｈ（図５参照）を増減調節することに使われる。この間隔調節機構５７では、ねじ軸である第１摺動体５２を緩み方向に回転することによって上記間隔Ｈを増大させることができ、第１摺動体５２を締付け方向に回転することによって上記間隔Ｈを減少させることができる。
【００２４】
図１および図６において、６１は第２レバーであり、この第２レバー６１の中央部（中間部）が上記第１レバー５１の揺動支点を形成しているものと同じ支軸４２に揺動自在に支持されて、その支持箇所が第２レバー６１の揺動支点になっている。第２レバー６１の基端部に第２摺動体６２が設けられている。この第２摺動体６２は第２レバー６１の基端部を突出させることにより形成されている。また、第２レバー６１の先端部にカッタ６３が連結されている。
【００２５】
そして、第２回転カム６の動作部６ａが第２摺動体６２を押して第２レバー６１を揺動させると、カッタ６３が結束バンド（後述する）の切断位置まで往動する。また、第２回転カム６の非動作部６ｂが第２摺動体６２に対応しているときには、カッタ６３が待機位置に復動し得るようになっている。第２レバー６１の先端部と上記受け具５８との間に亘ってコイルばねでなる第２ばね体６９が設けられており、この第２ばね体６９によって第２レバー６１の先端部が引っ張られていることにより、上記カッタ６３が復動方向に常時付勢されている。
【００２６】
上記歯車列３の所定の中間歯車３４に第３回転カム７が設けられており、この第３回転カム７によって上記リミットスイッチ１１の蹴片１２が蹴られるようになっている。ここで、上記した第１回転カム５や第２回転カム６は周方向の一箇所にだけ動作部５ａ，６ａを有している。そして、第３回転カム７が１回転してリミットスイッチ１１の蹴片１２を蹴った後でその蹴片１２が元位置に復帰するまでの間に、第１回転カム５および第２回転カム６が一回転するように構成されている。
【００２７】
上述したように、第２回転カム６の動作部６ａは、第１回転カム５の非動作部５ｂに対し、それらの回転方向において所定の小さな角度だけ前方に位置しているので、第１摺動体５２に対する第１回転カム５の対応箇所が動作部５ａから非動作部５ｂに移行する直前で、後述する第２摺動体６２に対する第２回転カム６の対応箇所が非動作部６ｂから動作部６ａに移行するようになっている（図４参照）。
【００２８】
図７（ａ）に示したように、この電動結束バンド引締め装置のハウジング８は短銃に似た形状を有している。すなわち、ハウジング８は、握持部８１とこの握持部８１から前方に延び出た胴部８２とこの胴部８２の先端部に設けられたヘッド部８３とを一体に備えている。そして、図２〜図４に示したように、握持部８１に電動モータ１が配備され、胴部８２に歯車列３、第１レバー５１，第２レバー６１などが配備され、ヘッド部８３に引締めローラ２と押えローラ２１とが配備されている。
【００２９】
図７（ａ）（ｂ）のように、ハウジング８のヘッド部８３の上部に、そのヘッド部８３を縦断して溝部８４が設けられている。この溝部８４は結束バンドを挿入するのに十分な幅を有し、しかもヘッド部８３の側面で開放している。
【００３０】
そして、上記溝部８４を挾む両側に、上記した引締めローラ２と押えローラ２１とが振り分けて配備されている。図２〜図４に示したように、溝部８４によって区画されたヘッド部８３の上下２つの空間区画Ｓ１，Ｓ２のうち、胴部８２につながっている下空間区画Ｓ２に押えローラ２１が、胴部８２に下空間区画Ｓ２を介してつながっている上空間区画Ｓ１に引締めローラ２が、それぞれ配備されている。また、図７（ａ）で判るように、上記カッタ６３は、引締めローラ２の前位置で溝部８４を横切って往復動可能になっている。カッタ６３はハウジング８のヘッド部８３に設けられたガイド溝８５（図２〜図４参照）により案内される。
【００３１】
図８に示したように、引締めローラ２はその外周面がローレット加工による凹凸面となされている。これに対し、押えローラ２１はその外周面が平坦面となされている。
【００３２】
次に図２〜図４ならびに図９〜図１２などを参照して作用を説明する。
【００３３】
この可搬式電動結束バンド引締め装置は、ハウジング８の握持部８１を手で持って操作される。そして、その握持部８１に設けられた押ボタン９を押すことによって、電動モータ１のスイッチ回路が接続して電動モータ１が始動する。また、第３回転カム７によってリミットスイッチ１２の蹴片１２が蹴られるとスイッチ回路が離反して電動モータ１が停止する。
【００３４】
図２はスタート状態を示しており、この状態では、第３回転カム７によってリミットスイッチ１２の蹴片１２が押されており、また、第１摺動体５２は第１回転カム５の非動作部５ｂに対応し、第２摺動体６２は第２回転カム６の非動作部６ｂに対応している。したがって、押えローラ２１やカッタ６３は待機位置である。このときに、図９のように溝部８４に結束バンド１００が挿入される。図１に示したように、結束バンド１００は端部に頭部１１０を備えており、この頭部１１０に、ループさせた結束バンド１００を通して電線などの束ねた線材２００を巻き込んでいる。
【００３５】
押ボタン９を押して電動モータ１を始動すると、電動モータ１の回転が歯車列３を経て引締めローラ２に伝達されて引締めローラ２が回転する。第１回転カム５や第２回転カム６も回転する。
【００３６】
図３のように、第１回転カム５が回転してその動作部５ａが第１摺動体５２を押すと、第１レバー５１が揺動して押えローラ２１が矢符ｂのように結束バンド押付け位置に突出する。そのため、図１０のように溝部８４に挿入されている結束バンド１００を引締めローラ２と押えローラ２１とが共働して挾圧する。これにより、結束バンド１００が引締めローラ２によって矢符ａのように引締め方向に送られる。そして、結束バンド１００が引締め方向に送られると、線材２００を束ねている結束バンド１００がハウジング８の端面８０側に引き寄せられて、図１０のように頭部１１０がハウジングの端面８０に当たり、その後も結束バンド１００の送りが続行される。そのため、図１１のように、結束バンド１００が頭部１１０から引き出されて引締められる。こうして、十分に強い力で引締めが行われた後では、引締めローラ２が回転しても結束バンド１００が送られなくなるので、引締めローラ２は空転する。
【００３７】
図４のように、第１回転カム５の対応箇所が動作部５ａから非動作部５ｂに移行する直前になったときには、第２摺動体６２に対する第２回転カム６の対応箇所が非動作部６ｂから動作部６ａに移行する。これにより、第２レバー６１が揺動してカッタ６３が矢符ｃのようにカッタ６３が往動し、図４および図１２のように結束バンド１００の余剰部分１０１がカットされる。
【００３８】
電動モータ１は、結束バンド１００がカットされた後も、第３回転カム７がリミットスイッチ１１の蹴片１２を蹴るまでは駆動されているので、結束バンド１００の余剰部分１０１は、カット後に引締めローラ２によって矢符ｄのようにハウジング８の外へ排出される。
【００３９】
そして、第１回転カム５の非動作部５ｂが第１摺動体５１に対応した時点で押えローラ２１が待機位置に後退し、また、第２回転カム６の非動作部６ｂが第２摺動体６２に対応した時点でカッタ６３が待機位置に復動し、さらに、第３回転カム７がリミットスイッチ１１の蹴片１２を蹴って電動モータ１が停止し、図２のスタート状態に戻る。これで１サイクルが終了する。
【００４０】
なお、図２〜図４において、歯車列３中に付した矢印や引締めローラ２に付した矢印はそれらの回転方向を示している。
【００４１】
上記構成では、第１回転カム５および第２回転カム６が共通の中間歯車３６に同軸状に設けられているので、第１回転カム５や第２回転カム６が中間歯車３６と重なり状に配備されることになってハウジング８の内部空間が有効に使われ、それにより小型化が達成されている。この小型化作用は、第１レバー５１および第２レバー６１の揺動支点の位置を中間歯車３８を支持している支軸４２と同軸にしてあることによってさらに顕著に発揮されている。
【００４２】
この可搬式電動結束バンド引締め装置において、線材２００が十分に強い力で引締められた後では、引締めローラ２が空転して結束バンド１００を削り、その削り粕が発生することがあるが、その削り粕は、カットにより生じた結束バンド１００の余剰部分１０１に乗ってその余剰部分１０１と共にハウジング８の外へ排出される。そのため、歯車列３に削り粕が付着して動作不良を起こすという事態は起こりにくい。
【００４３】
また、この可搬式電動結束バンド引締め装置において、間隔調節機構５７によって引締めローラ２と待機位置の押えローラ２１との間隔を増大させると、引締めローラ２と押えローラ２１との共働による結束バンド１００の挾圧力が弱まる。また、そのようにすることによって厚さの厚い結束バンドの使用が可能となる。逆に、間隔調節機構５７によって引締めローラ２と待機位置の押えローラ２１との間隔を減少させると、引締めローラ２と押えローラ２１との共働による結束バンド１００の挾圧力が強まる。また、そのようにすることによって厚さの薄い結束バンド１００の使用が可能となる。
【００４４】
【発明の効果】
本発明に係る可搬式電動結束バンド引締め装置によれば、それが可搬式であるので結束作業場所の制限が無くなり、しかもそのハウジングを短銃に似た形状にすることによって持ち運びや取扱性の利便性が高まって使い勝手が向上し、しかも迅速で確実な結束作業を行うことができるようになるという効果がある。
【００４５】
特に、第１回転カムおよび第２回転カム、さらには第１レバーおよび第２レバーの揺動支点を、回転伝達機構としての歯車列の任意の中間歯車に同軸状に設けることによって小型化を顕著に促進することができる。
【００４６】
また、第３回転カムによって電動モータのスイッチ回路を接離するようにしたものでは、結束の開始から結束バンドの引締め、結束バンドの余剰部分のカットに至る一連の工程でなる１サイクルを一回のスイッチング動作によって行うことができるようになる。
【図面の簡単な説明】
【図１】  本発明に係る可搬式電動結束バンド引締め装置の要部機構を概略で示した斜視図である。
【図２】  スタート状態の説明図である。
【図３】  引締め工程の説明図である。
【図４】  カット工程の説明図である。
【図５】  間隔調節機構の作用説明図である。
【図６】  第２回転カムと第２レバーとを示す説明図である。
【図７】  （ａ）は可搬式電動結束バンド引締め装置の外観を示す側面図である。
（ｂ）はハウジングの端面を示す正面図である。
【図８】  引締めローラと押えローラの作用説明図である。
【図９】  スタート状態の説明図である。
【図１０】  引締め工程の説明図である。
【図１１】  引締め工程の説明図である。
【図１２】  カット工程の説明図である。
【符号の説明】
１  電動モータ
２  引締めローラ
３  歯車列
５  第１回転カム
５ａ  第１回転カムの動作部
５ｂ  第１回転カムの非動作部
６  第２回転カム
６ａ  第２回転カムの動作部
６ｂ  第２回転カムの非動作部
７  第３回転カム
８  ハウジング
１３  電動モータの回転軸
２１  押えローラ
３３〜３９  中間歯車
４１  回転軸（支軸）
４２  支軸
５１  第１レバー
５２  第１摺動体
５９  第１ばね体
６１  第２レバー
６２  第２摺動体
６３  カッタ
６９  第２ばね体
８１  握持部
８２  胴部
８３  ヘッド部
８４  溝部
１００  結束バンド
【図１】
0003655952.tif 000002
【図２】
0003655952.tif 000003
【図３】
0003655952.tif 000004
【図４】
0003655952.tif 000005
【図５】
0003655952.tif 000006
【図６】
0003655952.tif 000007
【図７】
0003655952.tif 000008
【図８】
0003655952.tif 000009
【図９】
0003655952.tif 000010
【図１０】
0003655952.tif 000011
【図１１】
0003655952.tif 000012
【図１２】
0003655952.tif 000013